(57)【要約】【課題】テンキーを使い慣れている視覚障害者でも使える操作パネルが提供される。【解決手段】この操作パネル３０は、ＬＣＤ上に設置されるタッチパネル２０画面に表示され、指で触れるとスイッチがオン／オフするタッチボタン２１の配列を、機械的なスイッチであるキースイッチ３１におけるテンキー３２を基にした配列に対応したものにしている。それにより、タッチパネル２０上に表示されるタッチボタン２１の機能をキースイッチ３１に切り替えることができる。【選択図】      図１
2004234180.tif 000002
【特許請求の範囲】
【請求項１】
タッチパネル画面に表示される指で触るとスイッチがオン／オフするタッチボタンの配列を、機械的なスイッチであるキースイッチにおけるテンキーを基にした配列に対応したものにすることにより、前記タッチパネル上に表示される前記タッチボタンの機能を前記キースイッチに切り替えることができることを特徴とする操作パネル。
【請求項２】
前記タッチボタンによる押下を無効にさせ、前記キースイッチによる押下のみが有効とし、前記タッチボタンの配列位置に対応する前記キースイッチを押下することによって、前記タッチボタンを押下するのと等価の入力操作とする「特殊入力操作モード」と、前記タッチパネル上の前記タッチボタンも前記キースイッチも有効に動作する「通常入力操作モード」との切替を行う「操作切替」キースイッチを有することを特徴とする請求項１記載の操作パネル。
【請求項３】
任意の前記キースイッチの押下によってどの箇所の前記キースイッチの押下があったのかを検出しキースイッチ検出信号Ｓ１を生成するキースイッチ入力検出部と、任意の前記タッチボタンの押下によってどの箇所の前記タッチボタン押下があったのかを検出しタッチパネル検出信号Ｓ２を生成するタッチボタン入力検出部と、前記キースイッチ検出信号Ｓ１または前記タッチパネル検出信号Ｓ２によって前記キースイッチ入力検出部または前記タッチボタン入力検出部からの入力検出箇所に対応した入力情報信号Ｓ３を生成する入力情報信号生成部と、前記入力情報信号Ｓ３により装置全体の動作制御を行うメイン制御部とを備えることを特徴とする請求項１または２記載の操作パネル。
【請求項４】
前記メイン制御部が、前記「操作切替」キースイッチの入力情報信号Ｓ３によって「通常入力操作モード」／「特殊入力操作モード」のどちらの状態に切り替わったかを記憶する状態記憶機能部と、前記状態記憶機能部が記憶している状態によって入力情報信号Ｓ３の情報を解釈する解釈機能部とを有することを特徴とする請求項３記載の操作パネル。
【請求項５】
装置の入力操作モードが「通常入力操作モード」である状態にて、操作者が「特殊入力操作モード」に切り替える場合、前記操作者は、前記「特殊入力操作モード」に切り替えるため操作パネル上の「操作切替」キースイッチを押下し、前記「操作切替」キースイッチが押下されると、キースイッチ入力検出部が前記「操作切替」キースイッチが押下されたことを検出して、前記「操作切替」キースイッチ押下の検出を表すキースイッチ検出信号Ｓ１を生成し入力情報信号生成部に送り、前記入力情報信号生成部は、前記キースイッチ検出信号Ｓ１を受け取ると、前記「操作切替」キースイッチに対応した入力情報信号Ｓ３を生成しメイン制御部に送り、前記メイン制御部は前記「通常入力操作モード」で前記「操作切替」キースイッチ押下の入力情報信号Ｓ３を受け取ると、状態記憶機能部で前記「通常入力操作モード」から前記「特殊入力操作モード」の状態に切り替わったことを記憶し、解釈機能部で前記メイン制御部がこれ以降に受け取る前記入力情報信号Ｓ３に対し、タッチボタン押下による前記入力情報信号Ｓ３ならば無効な入力信号として解釈し、前記タッチボタンに関係付けられた前記キースイッチ押下による入力情報信号Ｓ３ならば関係付けられた前記タッチボタンの前記入力情報信号Ｓ３として解釈して、前記装置の動作制御を行うことを特徴とする操作パネルの入力切替方法。
【請求項６】
装置の入力操作モードが「特殊入力操作モード」である状態にて、操作者が「通常入力操作モード」に切り替える場合、メイン制御部にて、前記「特殊入力操作モード」で「操作切替」キースイッチ押下による入力情報信号Ｓ３を受け取ると、状態記憶機能部で「特殊入力操作モード」から「通常入力操作モード」の状態に切り替わったことを記憶し、解釈機能部で前記メイン制御部がこれ以降に受け取る前記入力情報信号Ｓ３に対し、タッチボタン押下による前記入力情報信号Ｓ３ならば有効な入力信号として解釈し、前記タッチボタンに関係付けられた前記キースイッチ押下による前記入力情報信号Ｓ３ならば、本来の前記キースイッチ押下の入力情報信号Ｓ３として解釈して、前記装置の動作制御を行うことを特徴とする操作パネルの入力切替方法。
【請求項７】
前記「操作切替」キースイッチの押下を検出し操作切替検出信号Ｓ４を生成する操作切替検出部と、前記操作切替検出信号Ｓ４から前記「通常入力操作モード」または前記「特殊入力操作モード」の状態を表す入力操作モード状態信号Ｓ５を生成する入力操作モード状態信号生成部と、前記入力操作モード状態信号Ｓ５から前記「特殊入力操作モード」ならば前記タッチパネル押下による入力情報信号Ｓ３を無効な入力情報信号に変換し、前記タッチボタンに関係付けられた前記キースイッチ押下による前記入力情報信号Ｓ３を関係付けられ前記タッチボタン押下による前記入力情報信号Ｓ３に変換する入力情報信号変換部と、前記入力情報信号変換部を経由した入力情報信号Ｓ６により装置の動作制御を行う第２のメイン制御部とを備えることを特徴とする請求項１または２記載の操作パネル。
【請求項８】
装置の入力操作モードが「通常入力操作モード」である状態にて、操作者が「特殊入力操作モード」に切り替える場合、前記操作者は、前記「特殊入力操作モード」に切り替えるため、「操作切替」キースイッチを押下し、前記「操作切替」キースイッチが押下されると、操作切替検出部が前記「操作切替」キースイッチが押下されたことを検出して操作切替検出信号Ｓ４を生成し、入力操作モード状態信号生成部に送り、前記入力操作モード状態信号生成部は前記「通常入力操作モード」状態で前記操作切替検出信号Ｓ４を受けると前記「特殊入力操作モード」状態を表す入力操作モード状態信号Ｓ５を生成し、入力情報信号変換部に送り、前記入力情報信号変換部は前記「特殊入力操作モード」状態を表す入力操作モード状態信号Ｓ５を受け取ると、前記入力情報信号変換部がこれ以降に受け取る入力情報信号Ｓ３に対し、タッチボタン押下による入力情報信号Ｓ３ならば、無効な入力情報信号Ｓ４として第２のメイン制御部に送り、タッチボタンに関係付けられているキースイッチ押下による入力情報信号Ｓ３ならば、関係付けられているタッチボタン押下による入力情報信号Ｓ４に変換して前記第２のメイン制御部に送ることを特徴とする操作パネルの入力操作切替方法。
【請求項９】
装置の入力操作モードが「特殊入力操作モード」である状態にて、操作者が「通常入力操作モード」に切り替える場合、入力操作モード状態信号生成部は、前記「特殊入力操作モード」状態で操作切替検出信号Ｓ４を受けると、前記「通常入力操作モード」状態を表す入力操作モード状態信号Ｓ５を生成し、入力情報信号変換部に送り、前記入力情報信号変換部は、前記「通常入力操作モード」状態を表す入力操作モード状態信号Ｓ５を受け取ると、前記入力情報信号変換部がこれ以降に受け取る入力情報信号Ｓ３に対し、タッチボタン押下による入力情報信号Ｓ３ならば、有効な入力信号として第２のメイン制御部に送り、また、前記タッチボタンに関係付けられているキースイッチ押下による入力情報信号Ｓ３ならば、本来の前記キースイッチ押下による入力情報信号Ｓ６に変換して、前記第２のメイン制御部に送ることを特徴とする操作パネルの入力操作切替方法。
【請求項１０】
前記装置が、ファクシミリまたは複写機であることを特徴とする請求項１〜４または７のいずれか１項記載の操作パネル。
【請求項１１】
前記タッチパネルが、ＬＣＤ（Ｌｉｑｕｉｄ  Ｃｒｙｓｔａｌ  Ｄｉｓｐｌａｙ、液晶ディスプレイ）またはＣＲＴディスプレイ上に設置されていることを特徴とする請求項１〜４または７のいずれか１項記載の操作パネル。
【発明の詳細な説明】
【０００１】
【発明の属する技術分野】
本発明は操作パネル及び操作パネルの入力操作切替方法に関し、特にＬＣＤ（Ｌｉｑｕｉｄ  Ｃｒｙｓｔａｌ  Ｄｉｓｐｌａｙ  液晶ディスプレイ）上のタッチパネル画面に表示されるタッチボタンの配列をテンキーを基にしたキースイッチの配列に対応させることにより、ＬＣＤ上のタッチパネルのタッチボタンの各々の機能をキースイッチに切り替え可能にすることにより、視覚障害者でも使える操作パネル及び操作パネルの入力操作切替方法に関する。
【０００２】
【従来の技術】
近年、ＯＡ機器など関して、障害者が使い易い操作パネル、特に弱視者・全盲者が使い易い操作パネルが求められている。
【０００３】
従来、この種の操作パネルは、使用者の特性に合わせて操作画面を切り替えることにより、作業能率を向上させることができるタッチパネルが提供されている（例えば、特許文献１参照）。
【０００４】
この従来のタッチパネルの構成例を示す図６を参照すると、このタッチパネルは、ディスク１−５を有する主装置１００、タッチパネル２−４を有する端末２００、３００を具備し、該端末２００のタッチパネル２−４に画面を表示し、データの入出力を行う情報処理システムのタッチパネルの画面表示方法であって、ディスク１−５にタッチパネル２−４に表示するタッチパネル表示画面データを予め複数格納すると共に、端末利用者は予め自己のタッチパネル表示画面データを指定し登録しておき、端末利用者がタッチパネル２−４を操作してデータの入出力を行う際、自己の指定したタッチパネル表示画面データを該タッチパネル２−４に表示することを特徴とする。
【０００５】
【特許文献１】
特開平２００１−２４９７６８号公報（第２−３頁、図１）
【０００６】
【発明が解決しようとする課題】
従来の技術では、使用者が視覚障害者の場合、よく使用する操作設定のボタンの順序を暗記しても、ＬＣＤから成るタッチパネル上のタッチボタンは、顔を近づけてタッチボタンの機能名称を確認し、該当する機能名称のタッチボタンを探して、入力しなければならない。「５」に凸状のポッチが付いているテンキーのように、その「５」のキースイッチを基に他の数字キーの位置を類推して入力することはできるが、その他の配列のキースイッチになると、入力が困難となる。
【０００７】
本発明の目的は、ＬＣＤ上のタッチパネル画面に表示されるタッチボタンの配列をテンキーを基にしたキースイッチの配列に対応させることにより、ＬＣＤ上のタッチパネルのタッチボタンの各々の機能をキースイッチに切り替え可能にすることにより、視覚障害者でも使える操作パネル及び操作パネルの入力操作切替方法を提供することにある。
【０００８】
【課題を解決するための手段】
本発明の操作パネルは、タッチパネル画面に表示される指で触るとスイッチがオン／オフするタッチボタンの配列を、機械的なスイッチであるキースイッチにおけるテンキーを基にした配列に対応したものにすることにより、前記タッチパネル上に表示される前記タッチボタンの機能を前記キースイッチに切り替えることができる。
【０００９】
また、本発明の操作パネルは、前記タッチボタンによる押下を無効にさせ、前記キースイッチによる押下のみが有効とし、前記タッチボタンの配列位置に対応する前記キースイッチを押下することによって、前記タッチボタンを押下するのと等価の入力操作とする「特殊入力操作モード」と、前記タッチパネル上の前記タッチボタンも前記キースイッチも有効に動作する「通常入力操作モード」との切替を行う「操作切替」キースイッチを有する。
【００１０】
さらに、本発明の操作パネルは、任意の前記キースイッチの押下によってどの箇所の前記キースイッチの押下があったのかを検出しキースイッチ検出信号Ｓ１を生成するキースイッチ入力検出部と、任意の前記タッチボタンの押下によってどの箇所の前記タッチボタン押下があったのかを検出しタッチパネル検出信号Ｓ２を生成するタッチボタン入力検出部と、前記キースイッチ検出信号Ｓ１または前記タッチパネル検出信号Ｓ２によって前記キースイッチ入力検出部または前記タッチボタン入力検出部からの入力検出箇所に対応した入力情報信号Ｓ３を生成する入力情報信号生成部と、前記入力情報信号Ｓ３により装置全体の動作制御を行うメイン制御部とを備える。
【００１１】
さらに、本発明の操作パネルは、前記メイン制御部が、前記「操作切替」キースイッチの入力情報信号Ｓ３によって「通常入力操作モード」／「特殊入力操作モード」のどちらの状態に切り替わったかを記憶する状態記憶機能部と、前記状態記憶機能部が記憶している状態によって入力情報信号Ｓ３の情報を解釈する解釈機能部とを有する。
【００１２】
さらに、本発明の操作パネルの入力切替方法は、装置の入力操作モードが「通常入力操作モード」である状態にて、操作者が「特殊入力操作モード」に切り替える場合、前記操作者は、前記「特殊入力操作モード」に切り替えるため操作パネル上の「操作切替」キースイッチを押下し、前記「操作切替」キースイッチが押下されると、キースイッチ入力検出部が前記「操作切替」キースイッチが押下されたことを検出して、前記「操作切替」キースイッチ押下の検出を表すキースイッチ検出信号Ｓ１を生成し入力情報信号生成部に送り、前記入力情報信号生成部は、前記キースイッチ検出信号Ｓ１を受け取ると、前記「操作切替」キースイッチに対応した入力情報信号Ｓ３を生成しメイン制御部に送り、前記メイン制御部は前記「通常入力操作モード」で前記「操作切替」キースイッチ押下の入力情報信号Ｓ３を受け取ると、状態記憶機能部で前記「通常入力操作モード」から前記「特殊入力操作モード」の状態に切り替わったことを記憶し、解釈機能部で前記メイン制御部がこれ以降に受け取る前記入力情報信号Ｓ３に対し、タッチボタン押下による前記入力情報信号Ｓ３ならば無効な入力信号として解釈し、前記タッチボタンに関係付けられた前記キースイッチ押下による入力情報信号Ｓ３ならば関係付けられた前記タッチボタンの前記入力情報信号Ｓ３として解釈して、前記装置の動作制御を行うことを特徴とする。
【００１３】
さらに、本発明の操作パネルの入力切替方法は、装置の入力操作モードが「特殊入力操作モード」である状態にて、操作者が「通常入力操作モード」に切り替える場合、メイン制御部にて、前記「特殊入力操作モード」で「操作切替」キースイッチ押下による入力情報信号Ｓ３を受け取ると、状態記憶機能部で「特殊入力操作モード」から「通常入力操作モード」の状態に切り替わったことを記憶し、解釈機能部で前記メイン制御部がこれ以降に受け取る前記入力情報信号Ｓ３に対し、タッチボタン押下による前記入力情報信号Ｓ３ならば有効な入力信号として解釈し、前記タッチボタンに関係付けられた前記キースイッチ押下による前記入力情報信号Ｓ３ならば、本来の前記キースイッチ押下の入力情報信号Ｓ３として解釈して、前記装置の動作制御を行うことを特徴とする。
【００１４】
さらに、本発明の操作パネルは、前記「操作切替」キースイッチの押下を検出し操作切替検出信号Ｓ４を生成する操作切替検出部と、前記操作切替検出信号Ｓ４から前記「通常入力操作モード」または前記「特殊入力操作モード」の状態を表す入力操作モード状態信号Ｓ５を生成する入力操作モード状態信号生成部と、前記入力操作モード状態信号Ｓ５から前記「特殊入力操作モード」ならば前記タッチパネル押下による入力情報信号Ｓ３を無効な入力情報信号に変換し、前記タッチボタンに関係付けられた前記キースイッチ押下による前記入力情報信号Ｓ３を関係付けられ前記タッチボタン押下による前記入力情報信号Ｓ３に変換する入力情報信号変換部と、前記入力情報信号変換部を経由した入力情報信号Ｓ６により装置の動作制御を行う第２のメイン制御部とを備える。
【００１５】
さらに、本発明の操作パネルの入力操作切替方法は、装置の入力操作モードが「通常入力操作モード」である状態にて、操作者が「特殊入力操作モード」に切り替える場合、前記操作者は、前記「特殊入力操作モード」に切り替えるため、「操作切替」キースイッチを押下し、前記「操作切替」キースイッチが押下されると、操作切替検出部が前記「操作切替」キースイッチが押下されたことを検出して操作切替検出信号Ｓ４を生成し、入力操作モード状態信号生成部に送り、前記入力操作モード状態信号生成部は前記「通常入力操作モード」状態で前記操作切替検出信号Ｓ４を受けると前記「特殊入力操作モード」状態を表す入力操作モード状態信号Ｓ５を生成し、入力情報信号変換部に送り、前記入力情報信号変換部は前記「特殊入力操作モード」状態を表す入力操作モード状態信号Ｓ５を受け取ると、前記入力情報信号変換部がこれ以降に受け取る入力情報信号Ｓ３に対し、タッチボタン押下による入力情報信号Ｓ３ならば、無効な入力情報信号Ｓ４として第２のメイン制御部に送り、タッチボタンに関係付けられているキースイッチ押下による入力情報信号Ｓ３ならば、関係付けられているタッチボタン押下による入力情報信号Ｓ４に変換して前記第２のメイン制御部に送ることを特徴とする。
【００１６】
さらに、本発明の操作パネルの入力操作切替方法は、装置の入力操作モードが「特殊入力操作モード」である状態にて、操作者が「通常入力操作モード」に切り替える場合、入力操作モード状態信号生成部は、前記「特殊入力操作モード」状態で操作切替検出信号Ｓ４を受けると、前記「通常入力操作モード」状態を表す入力操作モード状態信号Ｓ５を生成し、入力情報信号変換部に送り、前記入力情報信号変換部は、前記「通常入力操作モード」状態を表す入力操作モード状態信号Ｓ５を受け取ると、前記入力情報信号変換部がこれ以降に受け取る入力情報信号Ｓ３に対し、タッチボタン押下による入力情報信号Ｓ３ならば、有効な入力信号として第２のメイン制御部に送り、また、前記タッチボタンに関係付けられているキースイッチ押下による入力情報信号Ｓ３ならば、本来の前記キースイッチ押下による入力情報信号Ｓ６に変換して、前記第２のメイン制御部に送ることを特徴とする。
【００１７】
さらに、本発明の操作パネルは、前記装置が、ファクシミリまたは複写機であることを特徴とする。
【００１８】
さらに、本発明の操作パネルは、前記タッチパネルが、ＬＣＤ（Ｌｉｑｕｉｄ  Ｃｒｙｓｔａｌ  Ｄｉｓｐｌａｙ  液晶ディスプレイ）またはＣＲＴディスプレイ上に設置されていることを特徴とする。
【００１９】
【発明の実施の形態】
次に、本発明の実施の形態について図面を参照して詳細に説明する。
【００２０】
図１は、本発明の一実施の形態の構成を示す装置側面図であって、「操作切替」キースイッチを付けた操作パネルの一例を示す図である。図２は、この実施の形態おけるタッチパネル画面上に表示されるタッチボタンの配列の一例を示す図である。図３は、この実施の形態におけるテンキーを基にした主なキースイッチの配列に関係付けた一例を示す図である。図４は、本発明の第１の実施の形態の構成を示すブロック図である。図５は、この第１の実施の形態における動作の一例を示す流れ図である。
【００２１】
図１，図２，図３を参照して、本発明の一実施の形態の概要を説明する。
【００２２】
本発明の操作パネル３０は、ＬＣＤ上に設置されるタッチパネル２０画面に表示され、指で触れるとスイッチがオン／オフするタッチボタン２１の配列を、機械的なスイッチであるキースイッチ３１におけるテンキー３２を基にした配列に対応したものにしている。それにより、タッチパネル２０上に表示されるタッチボタン２１の機能をキースイッチ３１に切り替えることができる。これにより、テンキーを使い慣れている視覚障害者でも使える操作パネルが提供される。
【００２３】
「特殊入力操作モード」においては、タッチボタン２１による押下を無効にさせ、キースイッチ３１による押下のみが有効として、タッチボタン２１の配列位置に対応するキースイッチ３１を押下することによって、タッチボタン２１を押下するのと等価の入力操作となる。一方「通常入力操作モード」においては、タッチパネル２０上のタッチボタン２１も、キースイッチ３１も有効に動作する。「特殊入力操作モード」と「通常入力操作モード」との切り替えは、操作パネル３０上に設けた「操作切替」キースイッチ１で行う。
【００２４】
操作者が、「通常入力操作モード」で、「操作切替」キースイッチ１を押下した場合、「特殊入力操作モード」になり、そのときは、例えば「機能１」タッチボタン２２を押下しても「機能１」タッチボタン２２が入力操作されたことにはならず、「１」キースイッチ３３を押下することによって「機能１」タッチボタン２２の入力操作と等価の入力操作になる。
【００２５】
また、「特殊入力操作モード」のときに、本来の「１」キースイッチ３３入力操作と等価の入力操作が必要になった場合には、「操作切替」キースイッチ１を押下することによって、「通常入力操作モード」にし、本来の「１」キースイッチ１３入力操作を行う。
【００２６】
図１〜４を参照して、本発明の第１の実施の形態の構成について説明する。
【００２７】
操作パネル３０は、任意のキースイッチ３１の押下によってどの箇所のキースイッチ３１の押下があったのかを検出しキースイッチ検出信号Ｓ１を生成するキースイッチ入力検出部３と、任意のタッチボタン２１の押下によってどの箇所のタッチボタン２１押下があったのかを検出しタッチパネル検出信号Ｓ２を生成するタッチボタン入力検出部４と、キースイッチ検出信号Ｓ１またはタッチパネル検出信号Ｓ２によってキースイッチ入力検出部３またはタッチボタン入力検出部４からの入力検出箇所に対応した入力情報信号Ｓ３を生成する入力情報信号生成部５と、入力情報信号Ｓ３により装置２全体の動作制御を行うメイン制御部６とから構成される。
【００２８】
また、メイン制御部６は、「操作切替」キースイッチ１の入力情報信号Ｓ３によって「通常入力操作モード」／「特殊入力操作モード」のどちらの状態に切り替わったかを記憶する状態記憶機能部７と、状態記憶機能部７が記憶している状態によって入力情報信号Ｓ３の情報を解釈する解釈機能部８とを有する。
【００２９】
次に、図１〜４参照して、本発明の第１の実施の形態の動作について説明する。
【００３０】
先ず、装置２の入力操作モードが「通常入力操作モード」である状態にて、操作者が「特殊入力操作モード」に切り替える場合の動作について説明する。
【００３１】
操作者は、「特殊入力操作モード」に切り替えるため、操作パネル３０上の「操作切替」キースイッチ１を押下する。
【００３２】
「操作切替」キースイッチ１が押下されると、キースイッチ入力検出部３が「操作切替」キースイッチ１が押下されたことを検出して、「操作切替」キースイッチ１押下の検出を表すキースイッチ検出信号Ｓ１を生成し、入力情報信号生成部５に送る。
【００３３】
入力情報信号生成部５は、キースイッチ検出信号Ｓ１を受け取ると、「操作切替」キースイッチ１に対応した入力情報信号Ｓ３を生成し、メイン制御部６に送る。
【００３４】
メイン制御部６は、「通常入力操作モード」で「操作切替」キースイッチ１押下の入力情報信号Ｓ３を受け取ると、状態記憶機能部７で「通常入力操作モード」から「特殊入力操作モード」の状態に切り替わったことを記憶し、解釈機能部８で、メイン制御部６がこれ以降に受け取る入力情報信号Ｓ３に対し、タッチボタン２１押下による入力情報信号Ｓ３ならば無効な入力信号として解釈し、タッチボタン２１に関係付けられたキースイッチ３１押下による入力情報信号Ｓ３ならば関係付けられたタッチボタン２１の入力情報信号Ｓ３として解釈して、装置２の動作制御を行う。
【００３５】
次に、装置２の入力操作モードが「特殊入力操作モード」である状態にて、操作者が「通常入力操作モード」に切り替える場合の動作について説明する。
【００３６】
メイン制御部６にて、「特殊入力操作モード」で「操作切替」キースイッチ１押下による入力情報信号Ｓ３を受け取ると、状態記憶機能部７で「特殊入力操作モード」から「通常入力操作モード」の状態に切り替わったことを記憶し、解釈機能部８で、メイン制御部６がこれ以降に受け取る入力情報信号Ｓ３に対し、タッチボタン２１押下による入力情報信号ならば有効な入力信号として解釈し、タッチボタン２１に関係付けられたキースイッチ３１押下による入力情報信号Ｓ３ならば、本来のキースイッチ３１押下の入力情報信号Ｓ６として解釈して、装置２の動作制御を行う。
【００３７】
次に、図５を参照して、本発明の第２の実施の形態について説明する。
【００３８】
本発明の第２の実施の形態は、第１の実施の形態が、「操作切替」キースイッチ１の押下毎に「通常入力操作モード」／「特殊入力操作モード」のどちらの状態に切り替わったかを記憶する状態記憶機能部７と、状態記憶機能部７が記憶している状態によって入力情報信号Ｓ３の情報を解釈する解釈機能部８とを有する代わりに、「操作切替」キースイッチ１の押下を検出し操作切替検出信号Ｓ４を生成する操作切替検出部９と、操作切替検出信号Ｓ４から「通常入力操作モード」または「特殊入力操作モード」の状態を表す入力操作モード状態信号Ｓ５を生成する入力操作モード状態信号生成部１０と、入力操作モード状態信号Ｓ５から「特殊入力操作モード」ならばタッチパネル２０押下による入力情報信号Ｓ３を無効な入力情報信号に変換し、タッチボタン２１に関係付けられたキースイッチ３１押下による入力情報信号Ｓ３を関係付けられタッチボタン２１押下による入力情報信号Ｓ３に変換する入力情報信号変換部１１と、入力情報信号変換部１１を経由した入力情報信号Ｓ６により装置２の動作制御を行うメイン制御部１２とを有する。
【００３９】
次に、図５を参照して、この第２の実施の形態の動作について説明する。
【００４０】
先ず、装置２の入力操作モードが「通常入力操作モード」である状態にて、操作者が「特殊入力操作モード」に切り替える場合の動作について説明する。
【００４１】
操作者は、「特殊入力操作モード」に切り替えるため、操作パネル３０上の「操作切替」キースイッチ１を押下する。
【００４２】
「操作切替」キースイッチ１が押下されると、操作切替検出部９が「操作切替」キースイッチ１が押下されたことを検出して、操作切替検出信号Ｓ４を生成し、入力操作モード状態信号生成部１０に送る。
【００４３】
入力操作モード状態信号生成部１０は、「通常入力操作モード」状態で操作切替検出信号Ｓ４を受けると、「特殊入力操作モード」状態を表す入力操作モード状態信号Ｓ５を生成し、入力情報信号変換部１１に送る。
【００４４】
入力情報信号変換部１１は、「特殊入力操作モード」状態を表す入力操作モード状態信号Ｓ５を受け取ると、入力情報信号変換部１１がこれ以降に受け取る入力情報信号Ｓ３に対し、タッチボタン２１押下による入力情報信号Ｓ３ならば、無効な入力情報信号Ｓ４としてメイン制御部１２に送り、タッチボタン２１に関係付けられているキースイッチ３１押下による入力情報信号Ｓ３ならば、関係付けられているタッチボタン２１押下による入力情報信号Ｓ４に変換して、メイン制御部１２に送る。
【００４５】
次に、装置２の入力操作モードが「特殊入力操作モード」である状態にて、操作者が「通常入力操作モード」に切り替える場合の動作について説明する。
【００４６】
動作の流れは、「通常入力操作モード」である状態にて、操作者が「特殊入力操作モード」に切り替える場合の動作の流れと同様である。
【００４７】
入力操作モード状態信号生成部１０は、「特殊入力操作モード」状態で操作切替検出信号Ｓ４を受けると、「通常入力操作モード」状態を表す入力操作モード状態信号Ｓ５を生成し、入力情報信号変換部１１に送る。
【００４８】
入力情報信号変換部１１は、「通常入力操作モード」状態を表す入力操作モード状態信号Ｓ５を受け取ると、入力情報信号変換部１１がこれ以降に受け取る入力情報信号Ｓ３に対し、タッチボタン２１押下による入力情報信号Ｓ３ならば、有効な入力信号としてメイン制御部１２に送り、また、タッチボタン２１に関係付けられているキースイッチ３１押下による入力情報信号Ｓ３ならば、本来のキースイッチ３１押下による入力情報信号Ｓ６に変換して、メイン制御部１２に送る。
【００４９】
以上説明した第１の実施の形態及び第２の実施の形態における装置２は、例えばファクシミリまたは複写機などを意味する。
【００５０】
また、タッチパネルとしてＬＣＤ上のタッチパネルを一例として上げたが、ＣＲＴディスプレイ上のタッチパネルでも良い。
【００５１】
【発明の効果】
以上説明したように、本発明の第１の効果は、操作を早くすることができる、ということである。その理由は、テンキー等で順次数字を入力することで操作パネルの操作ができるため、よく使用する操作設定に対し、その順次入力する数字を覚えることで、顔をタッチパネル画面上すれすれに近づけずに、タッチボタンを確認せずに操作することが可能となるためである。
【００５２】
第２の効果は、よく使用する操作設定に対し、その順次入力する数字を忘れても、再度、その順次入力する数字を覚えことができる、ということである。その理由は、タッチパネル画面上のタッチボタンの配列をテンキー等の主なキースイッチの配列に対応させているため、タッチパネル画面を見ながら入力することによって、順次入力する数字を覚えることが可能となるためである。
【００５３】
第３の効果は、顔をタッチパネル画面上すれすれに近づけて、鼻等で不用意にタッチボタンを振れても、タッチパネル画面上の表示画面が別の表示画面に変わったり、設定ボタンを押したことにならい、ということである。その理由は、タッチパネル画面上のタッチボタンの入力操作をキースイッチの入力操作を代替する際には、タッチボタンの入力操作を無効とさせるためである。
【図面の簡単な説明】
【図１】本発明の一実施の形態の構成を示す装置側面図であって、「操作切替」キースイッチを付けた操作パネルの一例を示す図である。
【図２】この実施の形態おけるタッチパネル画面上に表示されるタッチボタンの配列の一例を示す図である。
【図３】この実施の形態におけるテンキーを基にした主なキースイッチの配列に関係付けた一例を示す図である。
【図４】本発明の第１の実施の形態の構成を示すブロック図である。
【図５】本発明の第２の実施の形態の構成を示すブロック図である。
【図６】従来例の構成を示すブロック図である。
【符号の説明】
１    「操作切替」キースイッチ
２    装置
３    キースイッチ入力検出部
４    タッチボタン入力検出部
５    入力情報信号生成部
６    メイン制御部
７    状態記憶機能部
８    解釈機能部
９    操作切替検出部
１０    入力操作モード状態信号生成部
１１    入力情報信号変換部
１２    メイン制御部
２０    タッチパネル
２１    タッチボタン
３０    操作パネル
３１    キースイッチ
３２    テンキー
【図１】
2004234180.tif 000003
【図２】
2004234180.tif 000004
【図３】
2004234180.tif 000005
【図４】
2004234180.tif 000006
【図５】
2004234180.tif 000007
【図６】
2004234180.tif 000008